(57)【要約】  本発明は、第１の光源層１２内に配置された第１の複数の光源１１ａ〜ｄ及び第２の光源層１５内に配置された第２の複数の光源１４ａ〜ｄを含み、発光パネル１が、第１の光源層１２からの拡散された照明及び第２の光源層１５からの実質的に拡散されない照明を提供するように、実質的に第１の複数の光源１１ａ〜ｄ内の光源によって放出される光のみを拡散するように配置及び構成されている光拡散層１３を備える発光パネル１に関する。発光パネル１は、また、発光パネル１の前方に配置された物体に反射後、第１の複数の光源１１ａ〜ｄ内の光源によって放出される光を検出するための光センサを含み、そのため、発光パネル１の動作が光センサによって提供される信号に基づき制御され得る。
2016524792.tif 000002
【特許請求の範囲】
【請求項１】
−  前面及び背面と、
−  第１の光源層内に配置された第１の複数の光源及び第２の光源層内に配置された第２の複数の光源であって、前記第１及び第２の光源層が前記前面に向かう方向に光を放出する、第１の複数の光源及び第２の複数の光源と、
−  発光パネルが、前記第１の光源層からの拡散された照明及び前記第２の光源層からの実質的に拡散されない照明を提供するように、実質的に前記第１の複数の光源内の光源によって放出される光のみを拡散する光拡散層と、
を含む発光パネルであって、
前記第２の光源層は、前記発光パネルの前方に配置された物体に反射後の前記第１の複数の光源内の光源によって放出される光の検出に基づき信号を提供するための光センサを含み、前記光センサは、発光状態と光検出状態との間で制御可能な前記第２の複数の光源内の前記光源の少なくともサブセットによって形成されており、
前記発光パネルが、前記第２の複数の光源内の光源を前記発光状態と前記光検出状態との間で制御し、且つ前記光センサによって提供される前記信号に基づき前記発光パネルの動作を制御する制御回路を更に含む、
発光パネル。
【請求項２】
前記第１の光源層と前記第２の光源層とがスタックの別個の層であり、前記第２の光源層が前記第１の複数の光源によって放出される光に対し光学的に透明であり、前記光拡散層が前記第１の光源層と前記第２の光源層との間に挟まれている、請求項１に記載の発光パネル。
【請求項３】
前記第２の複数の光源内の前記光源のそれぞれが前記第１の光源層内に配置されており、前記光拡散層が、前記第１の複数の光源内の光源によって放出される光について、前記第２の複数の光源内の光源によって放出される光についてよりも高い拡散効率を示す、請求項１に記載の発光パネル。
【請求項４】
前記第２の光源層がグリッド形の基板を含み、前記第２の複数の光源内の前記光源のそれぞれが前記グリッド形の基板に接続されている、請求項１乃至３のいずれか一項に記載の発光パネル。
【請求項５】
前記グリッド形の基板が、ノードを有するグリッドを画定する複数の金属ワイヤを含み、前記第２の複数の光源内の前記光源のそれぞれが前記ノードのそれぞれの１つに配置されており、且つ前記複数の金属ワイヤの少なくとも２つに電気的且つ機械的に接続されている、請求項４に記載の発光パネル。
【請求項６】
前記第２の光源層が、前記グリッド形の基板及び前記光源を埋設する透明材料を更に含む、請求項４に記載の発光パネル。
【請求項７】
前記発光パネルが基部構造を更に含み、前記第１の複数の光源が前記基部構造に埋設されている、請求項１に記載の発光パネル。
【請求項８】
前記第１の複数の光源内の各光源が光拡散材料に埋設され、前記光拡散層を形成する、請求項７に記載の発光パネル。
【請求項９】
前記第１の複数の光源内の前記光源のそれぞれが前記第２の複数の前記光源内の光源のいずれよりも低い光度を有する、請求項１に記載の発光パネル。
【請求項１０】
前記発光パネルがメモリを含み、前記制御回路が、
−  前記第１の複数の光源内の光源を、光を放出するように制御し、
−  検出した光を示す信号を取得し、
−  前記信号に基づき前記発光パネルの制御パラメータを決定し、及び
−  前記メモリに前記制御パラメータを記憶する、
請求項１に記載の発光パネル。
【請求項１１】
第２セット内の各光源が制御回路及びメモリを含む、請求項１０に記載の発光パネル。
【請求項１２】
前記第１の複数の光源内の前記光源がコード化された光を放出する、請求項１に記載の発光パネル。
【発明の詳細な説明】
【技術分野】
【０００１】
本発明は発光パネルに関する。
【背景技術】
【０００２】
現代のオフィス及び街中のアパートにおいては昼光の利用が制限される場合があり、人工昼光などの新たなタイプの照明に対する需要があり得る。
【０００３】
適切な照明が、例えば、ＬＥＤがアレイにて各パネルに配置される英国特許第２４４９１７９号によって開示されるものなどの発光パネルを用いて提供され得る。
【０００４】
しかしながら、英国特許第２４４９１７９号による発光パネルは主に屋外での使用向けであるため、拡散照明、及び照明を様々な家具構成などの屋内空間の様々な条件に空間的に適応させる可能性などの、屋内で所望されることが多い照明の種類を提供するものではない。
【発明の概要】
【発明が解決しようとする課題】
【０００５】
先行技術の上述の及び他の欠点に鑑み、本発明の全般的な目的は、改良された発光パネルを提供することであり、特に、快適且つ適応可能な照明を提供することである。
【課題を解決するための手段】
【０００６】
本発明の第１の態様によれば、前面及び背面を含む発光パネルが提供される。発光パネルは、第１の光源層内に配置された第１の複数の光源及び第２の光源層内に配置された第２の複数の光源を更に含む。第１の光源層及び第２の光源層は両方ともパネルの前面に向かう方向に光を放出するように配置されている。
【０００７】
発光パネルは、また、発光パネルが、第１の光源層からの拡散された照明及び第２の光源層からの実質的に拡散されない照明を提供するように、実質的に第１の複数の光源内の光源によって放出される光のみを拡散するように配置及び構成されている光拡散層を含む。
【０００８】
第２の光源層は、発光パネルの前方に配置された物体に反射後、第１の複数の光源内の光源によって放出される光の検出に基づき信号を提供するための光センサを含む。光センサは、発光状態と光検出状態との間で制御可能な第２の複数の光源内の光源の少なくともサブセットによって形成されている。
【０００９】
最後に、発光パネルは、第２の複数の光源内の光源を発光状態と光検出状態との間で制御し、且つ光センサによって提供される信号に基づき発光パネルの動作を制御するように構成された制御回路を含む。
【００１０】
光源は、有利には、固体光源であっても良く、固体光源は、電子と正孔との再結合により光が発生される光源であると理解されるべきである。固体光源の例としては、ＬＥＤ及び半導体レーザが挙げられる。
【００１１】
光拡散層が第１の複数の光源によって放出される光を「拡散する」場合、光源によって放出される光の角分布が広がるため、点光源からではなく多くの方向から入来するように見える。光を拡散させる手法の１つは、光源の前方に多数の方向変化要素を設け、その光を拡散させることであり得る。方向変化要素は、例えば、光源によって放出される光を方向転換する散乱及び／又は屈折要素であっても良い。
【００１２】
従って、第１の複数の光源内の光源は、一般的に快適と認識される実質的に均一な照明を提供する。
【００１３】
その一方で、第２の複数の光源内の光源は、「実質的に拡散されない」照明を提供するために配置される。「実質的に拡散されない」とは、第２の複数の光源内の各光源によって放出される光が発光パネルを出る前に方向変化が全く行われないか、殆ど行われないことであると理解されるべきである。最低限でも、第２の複数の光源内の光源のそれぞれによって放出される光は第１の複数の光源内の光源のそれぞれによって放出される光に比べて大幅に小さく拡散される。従って、第２の複数の光源内の光源は、ハイライトされるべき物品に照光するために及び／又は机上などの職場照明を提供するために使用され得る指向性照明を提供するように配置及び構成されると言える。
【００１４】
本発明は、快適で均一な照明が、２セットの光源と、光源のセットのうちの１つの光源によって放出される光を拡散するように配置及び構成された光拡散層と、を含む、積層発光パネルの提供によるタスク照明及び／又はハイライトの組み合わせにおいて実現され得るという認識に基づくものである。加えて、本発明者らは、この構成が、第２の複数の光源内の光源を制御することによって、発光パネルにより提供される照明を、光センサとしてパネル較正モードで機能するように適応させる可能性を開くことを認識した。従って、本発明の種々の実施形態は快適及び適応可能な照明を提供する。
【００１５】
上述のように、光センサは発光状態と光検出状態との間で制御可能な第２の複数の光源内の光源の少なくともサブセットによって形成されている。後者は光源に印加される電圧の極性を反転することにより得られても良い。
【００１６】
発光パネルの動作を光センサからの信号に基づき制御することによって、発光パネルによって提供される照明を、改装（家具の移動又は室内の照明要件に影響する可能性のある種々の物品の付加若しくは除去）などの様々な部屋及び／又は室内の様々な構成などの様々な条件に適応させることができる。
【００１７】
第２の複数の光源内の光源の少なくともサブセットは、部屋の構成を示す基本的な像を提供することができる一種の低解像度カメラとして共に機能し得る。
【００１８】
発光パネルの一実施形態では、第１の光源層と第２の光源層とはスタックの別個の層であり、第２の光源層は第１の複数の光源によって放出される光に対し光学的に透明である。この実施形態においては、光拡散層は第１の光源層と第２の光源層との間に挟まれている。
【００１９】
発光パネルの別の実施形態では、第２の複数の光源内の光源のそれぞれが第１の光源層内に配置されている。この実施形態においては、光拡散層は、第１の複数の光源内の光源によって放出される光について、第２の複数の光源内の光源によって放出される光についてよりも高い拡散効率（diffuser efficiency）を示すように配置及び構成されている。空間的に変化する拡散効率を有する好適な光拡散層については、例えば、米国特許第６８４６０９８号に記載されている。
【００２０】
第２の光源層は、有利には、グリッド形の基板を含んでも良く、第２の複数の光源内の光源のそれぞれは、グリッド形の基板に接続されても良い。そのような構造は、所望の透明性を有する第２の光源層を提供するために使用され得る。
【００２１】
グリッド形の基板は光を透過させるために「隙間のある（open）」任意の基板であっても良い。基板は、例えば、二次元の矩形グリッドとされ得る。或いは、基板は、互いに実質的に平行に延在する切片を含んでも良い。
【００２２】
有利には、グリッド形の基板は、ノードを有するグリッドを画定する複数の金属ワイヤを含んでも良く、第２の複数の光源内の光源のそれぞれはノードのそれぞれの１つに配置されても良く、且つ金属ワイヤの少なくとも２つに電気的且つ機械的に接続されても良い。金属ワイヤは、更に、非交差の金属ワイヤであっても良く、これにより少数のコネクタを用いた固体光源の簡便な作動を提供し、本発明の種々の実施形態による発光パネルのコスト効率が更に増す。
【００２３】
第２の複数の光源内の光源は個々にアドレス指定可能であっても良い。これは、例えば、各光源にローカル制御回路を提供し、例えば、ワイヤグリッドなどの基板で通信することによって実施されても良い。或いは又はそれと併用して、第２の光源層には、グリッド形の基板と併せて提供されても良い２ワイヤバスなどの別個のシリアルバスが提供されても良い。
【００２４】
更に、第２の光源層は、金属ワイヤ及び光源を埋設するシリコンなどの透明材料を更に含んでも良い。特にシリコンに言及したが、種々の他の適切な材料が当業者に良く知られていることは理解されるべきである。
【００２５】
種々の実施形態によれば、本発明の発光パネルは基部構造を更に含んでも良く、第１の複数の光源は基部構造に埋設されても良い。基部構造に光源を埋設する種々の方法については、例えば、米国特許第７５４３９５６号に記載されている。例えば、第１の複数の光源はグリッド形の基板などの担体上に設けられても良く、その後、光源を備えた基板が少なくとも部分的に光学的に透明な適切な材料に埋設されても良い。
【００２６】
有利には、第１の複数の光源内の各光源は光拡散材料に埋設され、光拡散層を形成しても良い。
【００２７】
第１の複数の光源内の光源がワイヤグリッド型基板に取り付けられた実施形態では、ワイヤグリッドの一部が曲げられ、埋設材料から突き出て、第２の光源層内の光源に電源を供給するためにも利用可能となる。
【００２８】
更に、第１の複数の光源内の光源のそれぞれは、第２の複数の光源内の光源のいずれよりも低い光度を有しても良い。
【００２９】
更に、発光パネルは屈折光学素子の組を更に含んでも良く、屈折光学素子のそれぞれは、光源の第２セット内の光源の対応する１つの前方に配置されている。
【００３０】
発光パネルが発光パネルを制御するための制御回路を含む種々の実施形態では、発光パネルはメモリを含んでも良く、制御回路は、第１の複数の光源内の光源を、光を放出するように制御し、（専用の光センサ及び／又は第２の複数の光源内の光源を用いて）検出した光を示す信号を取得し、信号に基づき発光パネルの制御パラメータを決定し、及びメモリに制御パラメータを記憶するように構成されても良い。
【００３１】
制御回路はハードウェア、ソフトウェア又はその組み合わせで実施されても良いことに留意すべきである。更に、制御回路は集中させても分散させても良い。例えば、制御回路は、第２の複数の光源内の光源及び／又は１つ若しくは幾つかの別個の専用光センサと同じ場所に配置されても良いローカルユニットと通信する中央ユニットを含んでも良い。
【００３２】
発光パネルは、（ａ）第２の複数の光源内の光源を光検出状態に制御するステップと、（ｂ）第１の複数の光源内の光源から光を放出するステップと、（ｃ）光センサを形成する第２の複数の光源内の光源のそれぞれから、検出した光を示す信号を取得するステップと、（ｄ）この信号に基づき発光パネルの制御パラメータを決定するステップと、を含む方法によって制御され得る。
【００３３】
種々の実施形態によれば、第１の複数の光源内の光源からの光は、コード化された光として放出されても良い。これによって、第１の複数の光源内の光源によって放出される光（及びその光の反射）は周囲光などの他の光源からの光と識別可能となる。例えば、光は既定の方式に従い点滅されても良い。コード化された光を用いた照明制御の例は国際公開第２０１２／０３５４６９号及び国際公開第２０１１／０３０２９２号によって提供されている。
【００３４】
本発明のこの第２の態様の更なる変形形態及び利点は本発明の第１の態様と共に上に記載したものとほぼ類似している。
【００３５】
本発明のこれら及び他の態様がここで本発明の実施形態例を示す添付の図面を参照してより詳細に説明される。
【図面の簡単な説明】
【００３６】
【図１】壁に配置された発光パネルの形態の、本発明の種々の実施形態による発光パネルの例示的な用途を概略的に示す。
【図２】図１の発光パネルの第１の実施形態の概略斜視切取図である。
【図３】図１の発光パネルの第２の実施形態の概略斜視切取図である。
【図４】図１の発光パネルの概略ブロック図である。
【図５】図１の発光パネルを制御する方法の一実施形態を示すフローチャートである。
【発明を実施するための形態】
【００３７】
図１は、部屋３の壁２に配置された発光パネル１の形態の、本発明による発光デバイスの実施形態の例示的な用途を概略的に示す。発光パネル１は昼光の代替として意図されても良い。
【００３８】
図１の発光パネルの第１の実施形態の概略斜視切取図である図２を参照すると、発光パネル１は、基部構造１０と、第１の光源層１２内の第１の複数の光源１１ａ〜ｄ（図面の乱雑さを回避するために第１の複数の光源内の光源の幾つかのみが参照符号を使用して示される）と、第１の複数の光源内の光源１１ａ〜ｂによって放出される光を拡散するように配置及び構成された光拡散層１３と、光拡散層１３が第１の光源層１２と第２の光源層１５との間に挟まれるように、第２の光源層１５内に配置された第２の複数の光源１４ａ〜ｂ（再度、光源のうち２つのみが参照符号を使用して示される）と、を含む。
【００３９】
図２に概略的に示されるように、第１の光源層１２内の光源１１ａ〜ｄはシリコンなどの光学的に透明な材料に埋設されている。好適な埋設材料のその他の例は高密度ポリエチレン（ＨＤＰ）又はポリカーボネート（ＰＣ）である。
【００４０】
第２の光源層１５内の光源１４ａ〜ｂもまた、シリコンなどの光学的に透明な材料１６に埋設されている。
【００４１】
図２に概略的に示されるように、第１の光源層１２内の光源１１ａ〜ｄは二次元光源アレイ、ここでは第１のＬＥＤグリッドの形態で配置されている。
【００４２】
第１のＬＥＤグリッドは、ＬＥＤ１１ａ〜ｂの第１セットが隣接する第１の金属ワイヤ１７ａ及び第２の金属ワイヤ１７ｂに電気的且つ機械的に接続され、ＬＥＤ１１ｃ〜ｄの第２セットが隣接する第２の金属ワイヤ１７ｂ及び第３の金属ワイヤ１７ｃに電気的且つ機械的に接続された、金属ワイヤ１７ａ〜ｃのオープングリッドの形態で提供される。これによって、例えば、第１の金属ワイヤ１７ａと第３の金属ワイヤ１７ｃとの間における電圧の印加により、第１の金属ワイヤ１７ａと第２の金属ワイヤ１７ｂとの間に接続されたＬＥＤ１１ａ〜ｂ及び第２の金属ワイヤ１７ｂと第３の金属ワイヤ１７ｃとの間に接続されたＬＥＤ１１ｃ〜ｄによって光が放出されることとなる。上記は第１のＬＥＤグリッドの一部の簡略化した記載であり、ＬＥＤグリッドは、実際の使用では、通常、幾つかの更なる金属ワイヤ及び金属ワイヤの隣接する１つに接続されたより多数のＬＥＤを含むことに留意すべきである。そのようなＬＥＤグリッドの機能及び実施は、しかしながら、上に提供した記載に基づき当業者に分かりやすいものとすべきである。
【００４３】
ここで示される実施形態では、第２の光源層１５内の光源１４ａ〜ｂは第２のＬＥＤグリッド内に配置され、第１のＬＥＤグリッドについて上に記載したものと同様の基本特性を有し、第２の光源層１５内の光源１４ａ〜ｂ間の間隔が第１の光源層１２内の光源１１ａ〜ｄ間の間隔よりも大幅に広いという違いがある。
【００４４】
有利には、第１の光源層１２内の光源１１ａ〜ｄはPhilips LumiledsによるLUXEON（登録商標）３５３５などの低パワーから中パワーのＬＥＤであっても良く、第２の光源層１５内の光源１４ａ〜ｂは、同じくPhilips LumiledsによるLUXEON（登録商標）Rebelなどの高パワーＬＥＤであっても良い。
【００４５】
図２では、光拡散層１３は別個の拡散体フィルムとして示される。このようなフィルムは幾つかの供給元から入手可能であり、拡散は散乱及び／又は屈折により実施されても良い。例えば、散乱粒子を透明な基部フィルム内に分散させても良い。別の代替形態は、表面構造が形成されたプラスチックシートの使用である。いわゆる、メソ光学系（meso-optics）もまた適用されても良い。
【００４６】
別個の拡散体フィルムの代替として、第１の光源層１２内の光源１１ａ〜ｄを埋設するために使用される材料内に散乱粒子が分与されても良い。
【００４７】
図１の発光パネルの第２の実施形態の概略斜視切取図である図３を参照すると、発光パネル１は、基部構造１０と、第１の光源層１２内の第１の複数の光源１１ａ〜ｄ（図面の乱雑さを回避するために第１の複数の光源内の光源の幾つかのみが参照符号を使用して示される）と、第１の複数の光源内の光源１１ａ〜ｂによって放出される光を拡散するように配置及び構成された光拡散層２３と、同じく第１の光源層１２内に配置された第２の複数の光源１４ａ〜ｂ（再度、光源のうち２つのみが参照符号を使用して示される）と、を含む。
【００４８】
この実施形態においては、第２の複数の光源内の光源１４ａ〜ｂは、第１のＬＥＤグリッド内のワイヤ１７ａ〜ｃの下（又は上に）配置されても良いＬＥＤ切片２２上に配置されている。
【００４９】
ここでは光拡散層２３は空間的に変化する拡散効率を示すように配置及び構成されており、第１の複数の光源内の光源１１ａ〜ｄの位置に相当する位置の方が、第２の複数の光源内の光源１４ａ〜ｂの位置に相当する位置よりも拡散効率が高い。これは、図３に、第２の複数の光源内の光源１４ａ〜ｂ上の光学的に透明な領域を画定する円によって概略的に示される。空間的に変化する拡散効率は、例えば、散乱粒子の空間的に変化する密度を用いて実施されても良いが、例えば、米国特許第６８４６０９８号に記載されるような幾つかの他の手法で提供されても良い。
【００５０】
種々の実施形態においては、発光パネル１はそれが取り付けられる部屋３の様々な構成に適応可能である。例えば、発光パネル１の前方にソファが配置される場合、発光パネル１の実施形態は、ソファの裏側が照明されないように、使用者の要求に応じて、その照明構成を新たな状況へと自動的に適応させることができる。これによりエネルギーを節約すると共に、鮮明な影などの不要な光学現象の発生が低下する。
【００５１】
所望の適応性を提供するためには、発光パネル１はシステムレベルにおいて図４のブロック図により概略的に示されるように構成されても良い。図４に概略的に示される代表的実施形態では、発光パネル１は、プロセッサ３１と、発光パネル１の制御パラメータを記憶するためのメモリ３２と、を備えた制御ユニット３０を含む。図４に概略的に示されるように、発光パネル１は更に幾つかのセグメント３４ａ〜ｅに機能的に分割されている。図２及び図３も参照すると、種々のセグメント３４ａ〜ｅは、種々のセグメント３４ａ〜ｅの第１の複数の光源内の光源１１ａ〜ｄが互いに独立してオンにされ得るように個々に制御可能である。従って、制御ライン３５ａ〜ｅによって概略的に示されるように、発光パネル１のセグメント３４ａ〜ｅの１つ又は幾つかは制御ユニット３０による制御により拡散光を放出するように制御され得る。
【００５２】
また、図４に示されるように、発光パネル１は、第２の複数の光源内の光源１４ａ〜ｂ（図２及び図３を参照）との通信（制御及び／又は読み出し）を可能にするための通信バス３７を更に含む。
【００５３】
最後に、図１〜図４の発光パネル１を制御する例示的な方法が、以下、図５のフローチャートを参照して記載される。通常操作では、第１の複数の光源内の光源１１ａ〜ｄ及び第２の複数の光源内の光源１４ａ〜ｂはメモリに記憶された制御パラメータに従い光を放出するように制御される。
【００５４】
第１のステップ１００では、発光パネル１は較正モード要求を受け取る。
【００５５】
較正モード要求に応答して、発光パネルの制御ユニット３０は、ステップ１０１において、第２の複数の光源内の光源１４ａ〜ｂのそれぞれをその光検出状態へと、例えば、光源１４ａ〜ｂに逆電圧を印加することによって制御し、光を放出するように第１の複数の光源内の光源１１ａ〜ｄを制御する。
【００５６】
第２の複数の光源内の光源１４ａ〜ｂはその光検出状態へと同時に又は順次又はグループで制御されても良い。更に、制御は、例えば、図４に示される通信バス３７での命令の伝送後に、供給電圧の大域的変化により及び／又は局所的に行われても良い。
【００５７】
第１の複数の光源内の光源１１ａ〜ｄは、発光パネル１全体が即座に点灯するか、１つの（又は幾つかの）セグメント３４ａ〜ｅ（図４を参照）が同時に点灯するように制御されても良い。
【００５８】
その後、ステップ１０２では、検出された光を示す信号が第２の複数の光源内の光源１４ａ〜ｂのそれぞれから取得される。取得は、図４に示される通信バス３７を介して大域的に又は第２の複数の光源内の光源１４ａ〜ｂの１つ又は幾つかを制御するように配置された制御ユニットを使用して局所的に行われても良い。
【００５９】
第１の複数の光源内の光源１１ａ〜ｄから発生する光と、他の光源から発生する光との識別を容易にするため、第１の複数の光源内の光源１１ａ〜ｄは調光を放出するように制御されても良い。調光は、光の識別子として使用されても良いデータ信号を送信するようにコード化されても良い。
【００６０】
取得した信号に基づき、ステップ１０３において、発光パネル１の制御パラメータは決定され、メモリに記憶される。制御パラメータは制御ユニット３０内のプロセッサ３１を用いて決定されても良く、且つ中央メモリ３２に記憶されても良い。或いは、決定及び記憶は分散されても良い。
【００６１】
最後に、ステップ１０４では、発光パネル１は較正が完了したことを示す信号を提供する。例えば、第１の複数の光源内の光源１１ａ〜ｄは特定回数及び／又は特定点滅パターンで点滅するように制御されても良い。
【００６２】
加えて、特許請求される発明の実施において、図面、開示及び添付の特許請求の範囲の研究から、当業者により、開示される実施形態の変形形態が理解され得ると共に実施され得る。例えば、第１の光源層内の光源はプリント回路基板、例えばフレキシブル回路基板上に配置されても良い。２つの光源層を備え、その間に光拡散層が挟まれる実施形態では、第２の光源層内の光源は適切なフレキシブルプリント回路基板などの光学的に半透明な基板上に配置されても良い。
【００６３】
特許請求の範囲において、「含む（comprising）」という語は他の要素又はステップを排除するものではなく、不定冠詞「１つの（a）」又は「１つの（an）」は複数を排除するものではない。相互に異なる従属請求項に特定の施策が列挙されているという単なる事実はこれら施策の組み合わせが効果的に使用され得ないことを示すものではない。
【図１】
2016524792.tif 000003
【図２】
2016524792.tif 000004
【図３】
2016524792.tif 000005
【図４】
2016524792.tif 000006
【図５】
2016524792.tif 000007
【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
−  前面及び背面と、
−  前記前面に向かう方向に光を放出する、第１の光源層内に配置された第１の複数の光源と、
−  光拡散層と、
発光パネルの前方に配置された物体に反射後の前記第１の複数の光源内の光源によって放出される光の検出に基づき信号を提供するための光センサであって、発光状態と光検出状態との間で制御可能な光源によって形成された前記光センサと、
前記発光状態と前記光検出状態との間で光源を制御し、且つ前記光センサによって提供される前記信号に基づき前記発光パネルの動作を制御する制御回路とを含む、発光パネルにおいて、
前記発光パネルは、更に、前記前面に向かう方向に光を放出する、第２の光源層内に配置された第２の複数の光源を含み、
前記第１の光源層と前記第２の光源層とがスタックの別個の層であり、前記第２の光源層が前記第１の複数の光源によって放出される光に対し光学的に透明であり、
前記光拡散層は、前記第１の光源層と前記第２の光源層との間に挟まれていて、前記発光パネルが、前記第１の光源層からの拡散された照明及び前記第２の光源層からの実質的に拡散されない照明を提供するように、前記光拡散層は、実質的に前記第１の複数の光源内の光源によって放出される光のみを拡散し、
前記光センサは、前記第２の光源層内に含まれていることを特徴とする、
発光パネル。
【請求項２】
前記第２の複数の光源内の前記光源のそれぞれが前記第１の光源層内に配置されており、前記光拡散層が、前記第１の複数の光源内の光源によって放出される光について、前記第２の複数の光源内の光源によって放出される光についてよりも高い拡散効率を示す、請求項１に記載の発光パネル。
【請求項３】
前記第２の光源層がグリッド形の基板を含み、前記第２の複数の光源内の前記光源のそれぞれが前記グリッド形の基板に接続されている、請求項１又は２に記載の発光パネル。
【請求項４】
前記グリッド形の基板が、ノードを有するグリッドを画定する複数の金属ワイヤを含み、前記第２の複数の光源内の前記光源のそれぞれが前記ノードのそれぞれの１つに配置されており、且つ前記複数の金属ワイヤの少なくとも２つに電気的且つ機械的に接続されている、請求項３に記載の発光パネル。
【請求項５】
前記第２の光源層が、前記グリッド形の基板及び前記光源を埋設する透明材料を更に含む、請求項３に記載の発光パネル。
【請求項６】
前記発光パネルが基部構造を更に含み、前記第１の複数の光源が前記基部構造に埋設されている、請求項１に記載の発光パネル。
【請求項７】
前記第１の複数の光源内の各光源が光拡散材料に埋設され、前記光拡散層を形成する、請求項６に記載の発光パネル。
【請求項８】
前記第１の複数の光源内の前記光源のそれぞれが前記第２の複数の前記光源内の光源のいずれよりも低い光度を有する、請求項１に記載の発光パネル。
【請求項９】
前記発光パネルがメモリを含み、前記制御回路が、
−  前記第１の複数の光源内の光源を、光を放出するように制御し、
−  検出した光を示す信号を取得し、
−  前記信号に基づき前記発光パネルの制御パラメータを決定し、及び
−  前記メモリに前記制御パラメータを記憶する、
請求項１に記載の発光パネル。
【請求項１０】
第２セット内の各光源が制御回路及びメモリを含む、請求項９に記載の発光パネル。
【請求項１１】
前記第１の複数の光源内の前記光源がコード化された光を放出する、請求項１に記載の発光パネル。
【国際調査報告】
2016524792.tif 000008
2016524792.tif 000009
2016524792.tif 000010